(57)【要約】      （修正有）【課題】建物に設置される外壁パネルの設置高さを調整するとともに外壁パネルを屋外側から容易に脱着できる外壁高さ調整構造を提供する。【解決手段】外壁高さ調整構造１は、建物の屋外側から着脱可能な外壁パネル２の設置高さを調整する構造であって、上方に位置する他の外壁パネル２又は建物の他の構成部材と鉛直方向に第１間隔Ｈ１を空けて外壁下地材３に設置される平板状の外壁パネル２と、外壁パネル２の屋内側の下端部に固定されて外壁パネル２の設置高さを調整する調整金具４と、外壁パネル２よりも屋内側の躯体に設置され、調整金具４を載置する底板５１の少なくとも屋外側の側端を上方に折曲した板状の折上げ片５２を有する受け金具５と、を備え、受け金具５は、底板５１の上面から折上げ片５２の上端までの第１距離Ｈ２を、第１間隔Ｈ１以下に形成される。【選択図】図１
2019044539.tif 000002
【特許請求の範囲】
【請求項１】
建物の屋外側から着脱可能な外壁パネルの設置高さを調整する外壁高さ調整構造であって、
上方に位置する他の外壁パネル又は前記建物の他の構成部材と鉛直方向に間隔を空けて外壁下地材に設置される平板状の前記外壁パネルと、
前記外壁パネルの屋内側の下端部に固定されて前記外壁パネルの設置高さを調整する調整金具と、
前記外壁パネルよりも屋内側の躯体に設置され、前記調整金具を載置する底板の少なくとも屋外側の側端を上方に折曲した折上げ片を有する受け金具と、を備え、
前記受け金具は、前記底板の上面から前記折曲げ片の上端までの距離を、前記間隔以下に形成されることを特徴とする外壁高さ調整構造。
【請求項２】
前記調整金具は、前記外壁パネルに固定されるとともに屋内方向へ延びて雌ねじ孔を形成する板状の固定部と、上方から前記雌ねじ孔に挿通し、先端にナットを回動不能に固定して前記底板に載置されるボルトと、を有することを特徴とする請求項１に記載の外壁高さ調整構造。
【請求項３】
前記躯体は、前記外壁パネルの屋内側の下方に設置され、該外壁パネルの面内方向且つ水平方向へ延びて上方に開く長尺なリップ溝形鋼であり、
前記受け金具は、前記底板の前記屋外側の側端及び屋内側の側端を上方に折曲した折上げ片を有し、
前記底板は、平面視略矩形に形成され、前記屋外側の側端に直交する一方の側端の長さを前記リップ溝形鋼のフランジ間距離未満とし、且つ、前記屋外側の側端に直交する他方の側端の長さを、前記リップ溝形鋼のリップ間距離以上に形成し、
前記折上げ片は、先端を前記底板と反対の方向へ折曲げて前記リップ溝形鋼のリップに引掛ける引掛け片を形成することを特徴とする請求項１又は２に記載の外壁高さ調整構造。
【請求項４】
前記ナットは、前記外壁パネルの下端よりも下方に位置することを特徴とする請求項２又は請求項３に記載の外壁高さ調整構造。
【請求項５】
前記躯体は、鉛直方向へ延びる長尺な前記外壁下地材であり、
受け金具は、前記外壁下地材の側面に突出して固定されることを特徴とする請求項１又は請求項２に記載の外壁高さ調整構造。
【発明の詳細な説明】
【技術分野】
【０００１】
この発明は、建物に設置される外壁パネルの設置高さを調整する外壁高さ調整構造に関する。
【背景技術】
【０００２】
従来より、外壁パネルの設置高さを状況に応じて調整する発明が提案されている。例えば、特許文献１の外壁パネルの下端に設置される受け金具は、受け金具を支持するリップ溝形鋼で形成された下水平枠の上方及び側方を覆う逆Ｌ字形の本体部に、下水平枠の底面に当接するアジャスターボルトをねじ込んでおり、このアジャスターボルトを回転させることによって外壁パネルの設置高さを上下に調整することができる。
【先行技術文献】
【特許文献】
【０００３】
【特許文献１】特開２００１−２７００３
【発明の概要】
【発明が解決しようとする課題】
【０００４】
しかしながら、特許文献１の発明では、アジャスターボルトを下水平枠の底面に当接させているため、外壁パネル設置後に屋外側から外壁パネルを取り外そうとした場合、外壁パネルを上方に大きく持ち上げなければアジャスターボルトを下水平枠から取り出すことができない。したがって、外壁パネルの上部に別の外壁パネルが設置されている場合は、メンテナンス時に屋内側に形成される内壁を一部解体して外壁パネルを取り外さなければならず、非常に手間がかかり建物使用者に大きな負担を強いるという問題点がある。
【０００５】
そこで、本発明は、上述した課題を鑑みてなされたものであって、建物に設置される外壁パネルの設置高さを調整するとともに外壁パネルを屋外側から容易に脱着できる外壁高さ調整構造を提供することを目的とする。
【課題を解決するための手段】
【０００６】
本発明の外壁高さ調整構造は、建物の屋外側から着脱可能な外壁パネルの設置高さを調整する外壁高さ調整構造であって、上方に位置する他の外壁パネル又は前記建物の他の構成部材と鉛直方向に間隔を空けて外壁下地材に設置される平板状の前記外壁パネルと、前記外壁パネルの屋内側の下端部に固定されて前記外壁パネルの設置高さを調整する調整金具と、前記外壁パネルよりも屋内側の躯体に設置され、前記調整金具を載置する底板の少なくとも屋外側の側端を上方に折曲した折上げ片を有する受け金具と、を備え、前記受け金具は、前記底板の上面から前記折曲げ片の上端までの距離を、前記間隔以下に形成されることを特徴としている。
【０００７】
本発明の外壁高さ調整構造は、前記調整金具が、前記外壁パネルに固定されるとともに屋内方向へ延びて雌ねじ孔を形成する板状の固定部と、上方から前記雌ねじ孔に挿通し、先端にナットを回動不能に固定して前記底板に載置されるボルトと、を有することを特徴としている。
【０００８】
本発明の外壁高さ調整構造は、前記躯体が、前記外壁パネルの屋内側の下方に設置され、該外壁パネルの面内方向且つ水平方向へ延びて上方に開く長尺なリップ溝形鋼であり、前記受け金具は、前記底板の前記屋外側の側端及び屋内側の側端を上方に折曲した折上げ片を有し、前記底板は、平面視略矩形に形成され、前記屋外側の側端に直交する一方の側端の長さを前記リップ溝形鋼のフランジ間距離未満とし、且つ、前記屋外側の側端に直交する他方の側端の長さを、前記リップ溝形鋼のリップ間距離以上に形成し、前記折上げ片は、先端を前記底板と反対の方向へ折曲げて前記リップ溝形鋼のリップに引掛ける引掛け片を形成することを特徴としている。
【０００９】
本発明の外壁高さ調整構造は、前記ナットが、前記外壁パネルの下端よりも下方に位置することを特徴としている。
【００１０】
本発明の外壁高さ調整構造は、前記躯体が、鉛直方向へ延びる長尺な前記外壁下地材であり、受け金具は、前記外壁下地材の側面に突出して固定されることを特徴としている。
【発明の効果】
【００１１】
本発明の外壁高さ調整構造によると、受け金具は調整金具を載置する底板の少なくとも屋外側の側端を上方に折曲した板状の折上げ片を有し、底板の上面から折曲げ片の上端までの寸法を、外壁パネルと上方に位置する他の外壁パネル又は建物の他の構成部材との間に形成される間隔以下に形成される。また、外壁パネルは建物の屋外側から着脱可能であるので、外壁パネルの上方に他の外壁パネル等が設置されていても、外壁パネルを他の外壁パネル等との間に形成される間隔以下の高さだけ屋外側から持ち上げれば取り外すことができ、メンテナンス性を向上させることができる。また、調整金具は、外壁パネルの設置高さを調整できるので、外壁パネルの設置高さ調整の作業を屋外側から行うことができ、施工性を向上させることができる。
【００１２】
本発明の外壁高さ調整構造によると、調整金具は、外壁パネルに固定されるとともに屋内方向へ延びて雌ねじ孔を形成する板状の固定部と、雌ねじ孔に上方から挿通し、先端にナットを回動不能に固定して底板に載置されるボルトとを有するので、ナットもしくはボルトを回転させるだけで固定部を固定した外壁パネルを上下方向へ移動させることができ、容易に外壁パネルの設置高さを調整することができる。
【００１３】
本発明の外壁高さ調整構造によると、躯体は、外壁パネルの屋内側の下方に設置され、外壁パネルの面内方向且つ水平方向へ延びて上方に開く長尺なリップ溝形鋼であり、底板は、平面視略矩形に形成され、屋外側の側端に直交する一方の側端の長さをリップ溝形鋼のフランジ間距離未満とし、且つ、屋外側の側端に直交する他方の側端の長さを、リップ溝形鋼のリップ間距離以上に形成している。また、底板の屋外側の側端及び屋内側の側端を折曲して形成された折上げ片は、先端を底板と反対の方向へ折曲げてリップ溝形鋼のリップに引掛ける引掛け片を形成する。したがって、受け金具は、底板のリップ溝形鋼のリップ間距離以上に形成される側端を、リップ溝形鋼の中に上方から差込み、前記側端をリップ溝形鋼のフランジと直交するように回転させ、引掛け片をリップ溝形鋼のリップに当接させるように倒すだけでリップ溝形鋼に設置できる。また、受け金具は、引掛け片と底板との間にリップを挟み込んだ状態でスライド移動できるので、容易に設置位置を調整することができる。また、受け金具を上方へ持ち上げると底板がリップに係合するので、受け金具のリップ溝形鋼からの脱落を防止することができる。
【００１４】
本発明の外壁高さ調整構造によると、ナットは、外壁パネルの下端よりも下方に位置するので、建物基礎の上部に外壁パネルを設置した場合、建物基礎と外壁パネルとの間に形成される隙間に屋外側からスパナなどの工具を差し込んでナットを回転させることにより、外壁パネルを取り外さずに設置高さを調整することができ、施工性を向上させることができる。
【００１５】
本発明の外壁高さ調整構造によると、躯体は、鉛直方向へ延びる長尺な外壁下地材であり、受け金具は、外壁下地材の側面に突出して固定されるので、外壁下地材の下部にターンバックルなどの斜材を固定している場合であっても、斜材を避けた高さに受け金具を設置することで斜材に干渉することなく外壁パネルを設置することができる。
【図面の簡単な説明】
【００１６】
【図１】第一実施形態の外壁高さ調整構造を示す一部省略断面図。
【図２】第一実施形態の外壁高さ調整構造を示す一部省略平面図。
【図３】図１のＡ部拡大断面図。
【図４】第一実施形態の外壁パネルを示す斜視図。
【図５】第一実施形態の外壁高さ調整構造を示す斜視図。
【図６】第一実施形態の調整金具及び受け金具を示す分解斜視図。
【図７】第一実施形態ボルト先端部のナットを屋外側から操作する様子を示す断面図。
【図８】第一実施形態の調整金具を固定した外壁パネルを上方へ持ち上げた場合を示す部分拡大断面図。
【図９】第二実施形態の外壁高さ調整構造を示す断面図。
【図１０】第二実施形態の外壁高さ調整構造を示す一部省略平面図。
【図１１】第二実施形態の外壁高さ調整構造の調整金具を固定した外壁パネルを上方へ持ち上げた場合を示す斜視図。
【図１２】第二実施形態の外壁パネルを示す斜視図。
【図１３】第二実施形態の調整金具及び受け金具を示す分解斜視図。
【図１４】第一実施形態の受け金具をリップ溝形鋼（躯体）に設置する手順を示す正面図及び側面図。
【発明を実施するための形態】
【００１７】
<第１実施形態>
以下、外壁高さ調整構造の最良実施形態について各図を参照しつつ説明する。外壁高さ調整構造１は、図１から図３に示すように、平板状に形成された外壁パネル２の設置高さを調整する構造であって、上方に位置する他の外壁パネル２Ａと鉛直方向に第１間隔Ｈ１を空けて外壁下地材３に設置される平板状の外壁パネル２と、外壁パネル２の屋内側の下端部に固定されて外壁パネル２の設置高さを調整する調整金具４と、外壁パネル２よりも屋内側の躯体６に設置され、調整金具４を載置する底板５１の屋外側の側端を上方に折曲した板状の折上げ片５２を有する受け金具５と、を備えている。なお、図示例では外壁パネル２の上方に他の外壁パネル２Ａを設置しているが、外壁パネル２の上方に建物の他の構成部材２Ｂ、例えば笠木や水切部材などを設置してもよい。
【００１８】
外壁パネル２は、図４及び図２に示すように、建物の外壁面を形成する矩形平板状の外壁材２１と、外壁材２１に調整金具４を固定する固定金具２２と、を有している。外壁材２１は、屋内側の両側端部に沿って屋内方向へ開くリップ溝形鋼で形成された取付材２ａを設置しており、取付材２ａの外壁材２１側方側のリップには、外壁材２１の側方向へ延びて外壁下地材３に固定される板片２ｂが形成されている。さらに、外壁材２１の側端縁には、側端縁の一部分を切り欠いて後述する外壁取付具９に係合される切欠き溝２１ａが形成されている。また、固定金具２２は、取付材２ａのリップ裏面に当接する平板状の当接板２ｃと、外壁材２１の屋内側の下端部に設置されて当接板２ｃ及び調整金具４と連結する断面視Ｌ字形の連結板２ｄと、から形成されている。
【００１９】
当接板２ｃの略中央には、取付材２ａの長手方向へ沿う２箇所の第１挿入孔２ｅが形成されている。また、連結板２ｄは、外壁材２１の屋内側の面に当接する一端部に、第１挿通孔２ｅと整合する２箇所の第２挿通孔２ｆを形成し、他端部に１箇所の第３挿通孔２ｇを設けている。当接板２ｃは、取付材２ａの長手方向の縁端から取付材２ａの内部空間に挿入され、当接部２ｃ及び連結板２ｄは、図２に示すように、第１挿入孔２ｅ及び第２挿通孔２ｆを連通する第１ボルト２３及び第１ナット２４によって締付固定されたり、または、リベット接合によって固定される。なお、当接板２ｃと連結板２ｄとを強固に連結できるのであれば、第１挿入孔２ｅ及び第２挿通孔２ｆの設置数は２箇所でなくてもよい。
【００２０】
図２に示す外壁下地材３は、外壁パネル２を支持することが可能な鉛直方向へ延びる部材で、躯体の一種である柱や間柱である。なお、図示例では外壁下地材３の形状をリップ溝形鋼としているが、外壁パネル２を支持固定できるものであれば特に限定されることは無く、他の形状の形鋼や木質系の角柱などであってもよい。
【００２１】
調整金具４は、図５及び図６に示すように、外壁パネル２の屋内側の下端部に固定される金具で、外壁パネル２に固定される固定部４１と、先端にナット４ａを回動不能に固定するボルト４２と、から形成される。固定部４１は、平板を折曲げて形成される部材で、外壁パネル２の連結板２ｄに固定される連結部４ｂと、連結部４ｂの一端を直角に折り曲げて屋内側へ延びる水平部４ｃとから形成される略Ｌ字形の部材である。連結部４ｂのほぼ中央には、第１貫通孔４ｄが設けられており、水平部４ｃの略中央には、内周面に雌ねじを有する第１雌ねじ孔４ｅを形成している。第１貫通孔４ｄは、連結板２ｄの第３挿通孔２ｇと低頭ボルト７によって連通される孔で、固定部４１を連結板２ｄに固定した際に、外壁材２１の下面と固定部４１の水平部４ｃ下面との設置高さが略同一となるように調整して設けられている。またボルト４２は、上方から第１雌ねじ孔４ｅに挿通し、先端にナット４ａを回動不能に固定される。このとき、ボルト４２は第１雌ねじ孔４ｅに螺着された状態となっている。また、ボルト４２は、外壁パネル２に調整金具４を固定した際、ナット４ａが外壁パネル２の下端よりも下方に位置する。
【００２２】
受け金具５は、図５及び図６に示すように、断面視略凹形状の部材で、外壁パネル２よりも屋内側の躯体に設置される。受け金具５を設置する躯体は、具体的には外壁パネル２の屋内側の下方に設置され、外壁パネル２の面内方向且つ水平方向へ延びて上方に開く長尺なリップ溝形鋼６であり、受け金具５は、リップ溝形鋼６の溝上方に設置され、調整金具４のボルト４２を載置する平面視略矩形の底板５１と、底板５１の屋外側の側端及び屋内側の側端を上方に折曲して形成される折上げ片５２と、を有する。
【００２３】
底板５１の屋外側の側端に直交する一方の側端の長さは、リップ溝形鋼６のフランジ６ｂ間の距離Ｌ１未満としている。また、底板５１の屋外側の側端に直交する他方の側端の長さＬ２は、リップ６ａ間の距離Ｌ３以上に形成している。そして、折上げ片５２は、先端を底板５１と反対の方向へ折曲げてリップ溝形鋼６のリップ６ａに引掛ける引掛け片５ｂを形成している。また、底板５１の上面５１ａから折上げ片５２の上端５２ａまでの第１距離Ｈ２は、第１間隔Ｈ１以下に形成される。
【００２４】
次に、以上説明した調整金具４及び受け金具５を使用して外壁パネル２の設置高さを調整する外壁高さ調整構造１について説明する。まず、予め固定部４１とボルト４２をセットした調整金具４を外壁パネル２の連結板２ｄに固定する。具体的には固定部４１の第１貫通孔４ｄと連結板２ｄの第３挿通孔２ｇを整合させ、図３に示すように低頭ボルト７を連通して締付固定をする。このとき、先述したように、第１貫通孔４ｄは設置位置を調整して形成されているので、外壁材２１下面と固定部４１の水平部４ｃ下面との高さ位置は略同一となる。
【００２５】
そして、受け金具５を基礎８の上面などに載置されるリップ溝形鋼６に設置する。具体的には、図１４（ａ）〜（ｄ）に示すように、底板５１の長さＬ２を有する側端を、リップ溝形鋼６の中に上方から差込み（ａ）、前記側端をフランジ６ｂと直交するように回転させ（ｂ）、引掛け片５ｂをリップ６ａに当接させるように倒すことによって設置する（ｃ、ｄ）。受け金具５は、引掛け片５ｂと底板５１との間にリップ６ａを挟み込んだ状態でスライド移動できるので、容易に設置位置を調整することができる。また、受け金具５は、リップ６ａを底板５１と引掛け片５ｂとによって挟み込むので、上下方向に大きく動いてリップ溝形鋼６から外れることがなく、安定した状態でリップ６ａに設置することができる。
【００２６】
続いて、ボルト４２を回転させ、水平部４ｃからボルト４２の先端までの長さを調整する。このとき、ボルト４２を受け金具５の底板５１に載置した際、外壁パネル２が所望するおおよその設置高さとなるように調整をする。そして、図１及び図２に示すように、外壁パネル２の面内方向とリップ溝形鋼６の長手方向が平行となるようにボルト４２の先端を底板５１に載置する。先述したように、外壁材２１の下面と固定部４１の水平部４ｃ下面との設置高さは略同一であるので、ボルト４２の先端は外壁材２１の下面よりも下方に位置することになる。また、受け金具５の折上げ片５２は、ボルト４２が外壁パネル２の面外屋外方向へ大きく移動することを防止する。
【００２７】
次に、外壁パネル２を外壁下地材３に専用の金具を用いて固定する。図２に示すように、外壁パネル２の外壁下地材３への固定は、屋外側から操作可能な外壁取付具９を用いて行う。外壁取付具９は、外壁下地材３の屋外側の面に設置されており、外壁パネル２の面内方向へ回動自在な係止片９１を有している。外壁パネル２の板片２ｂを外壁下地材３の屋外側の面に当接した後、外壁パネル２間に形成される縦目地２５からレンチなどを差し込んで係止片９１を外壁材２１の切欠き溝２１ａに回転挿入させて締付け、外壁下地材３と係止片９１とで板片２ｂを狭着固定する。このような固定方法であれば、屋外側から外壁取付具９を操作することにより、外壁パネル２を取り外すことができる。
【００２８】
外壁パネル２を外壁下地材３に設置した後に外壁パネル２の高さを調整したい場合は、図２に示す外壁パネル２間の縦目地２５から外壁取付具９を操作して外壁パネル２の外壁下地材３への固定を緩め、図７に示すように、外壁パネル２の下端から引掛け片５ｂの上端５２ａまでの間に形成される隙間からスパナなどの工具１０を差し込み、ナット４ａを回転させる。先述したように、ナット４ａはボルト４２に回動不能に固定されているので、ナット４ａを回転させるとボルト４２も同時に回転することとなり、外壁パネル２に固定される固定部４１が上下に移動する。このとき、ナット４ａには外壁パネル２の全荷重が掛かっているので、ナット４ａと底板５１ａ表面の摩擦抵抗は大きいが、工具１０の長さを長くすることによって解消できる。そして、所望する高さに外壁パネル２の設置高さを調整したら、再び縦目地２５から外壁取付具９を操作して外壁パネル２を外壁下地材３に強固に固定する。したがって、基礎８の上部に外壁パネル２を設置する場合は、外壁パネル２を取り外すことなく設置高さ調整を行えるので、施工性を大きく向上させることができる。
【００２９】
また、メンテナンス時などに外壁パネル２を取り外す場合は、図２に示す縦目地２５から外壁取付具９を操作して外壁パネル２の外壁下地材３への固定を緩め、図８に示すように、屋外側から外壁パネル２を持ち上げて取り外すことができる。このとき、先述したように、底板５１の上面５１ａから折上げ片５２の上端５２ａまでの第１距離Ｈ２は、図１に示す第１間隔Ｈ１以下に形成されるので、外壁パネル２の上部に他の外壁パネル２Ａが設置されていても、外壁パネル２を第１距離Ｈ２分だけ上方に持ち上げれば、他の外壁パネル２Ａに干渉することなく取り外すことができる。
【００３０】
<第２実施形態>
次に外壁高さ調整構造１１の第２実施形態について、図９から図１３を参照しつつ説明する。なお、第１実施形態と同様の構成は同一の符号を付して説明を省略する。本願の外壁高さ調整構造１１は、図１１に示すように、外壁下地材３の下部にターンバックルなどの斜材１２や他の部材が固定されている場合などに好適に用いることができる。
【００３１】
外壁高さ調整構造１１は、図９及び図１０に示すように、上方に位置する他の外壁パネル１２Ａと第２間隔Ｈ３を空けて外壁下地材３に設置される平板状の外壁パネル１２と、外壁パネル１２の屋内側の下端部に固定されて外壁パネル１２の設置高さを調整する調整金具１３と、外壁パネル１２よりも屋内側の躯体に設置され、調整金具１３を載置する底板１４１の縁端を上方に折曲した板状の折上げ片１４２を有する受け金具１４と、を備えている。なお、図示例では外壁パネル１２の上方に他の外壁パネル１２Ａを設置しているが、第１実施形態と同様に建物の他の構成部材２Ｂを設置してもよい。
【００３２】
外壁パネル１２は、図１２に示すように、外壁材２１の取付材２ａの内部空間に、当接板２ｃを挿入しており、また、当接板２ｃは後述する調整金具１３の固定部１３１と連結される。外壁パネル１２を支持する外壁下地材３は、図１３に示すように、ウェブ３ａに孔３ｂを形成している。この孔３ｂには、受け金具１４を外壁下地材３に固定するためのボルトを挿入することができ、孔３ｂは、受け金具１４を設置したい高さ位置に合わせて形成される。
【００３３】
調整金具１３は、図１１及び図１３に示すように、外壁パネル１２の屋内側の下端部に固定されて外壁パネル１２の下端を保持する固定部１３１と、先端にナット４ａを回動不能に固定するボルト４２と、から形成される。固定部１３１は、平板を折曲げて形成される部材で、外壁パネル１２の下端を保持する保持部１３ａと、保持部１３ａの一端を直角に折曲げて形成され、当接板２ｃと連結される連結部１３ｂと、連結部１３ｂの先端の一部分を保持部１３ａと反対側へ折曲げて屋内側へ延びる水平部１３ｃとから形成される。
【００３４】
連結部１３ｂの一端部には当接板２ｃの第１挿入孔２ｅと整合する位置に２箇所の第２貫通孔１３ｄが設けられており、水平部１３ｃの略中央には、内周面に雌ねじを有する第２雌ねじ孔１３ｅを形成している。ボルト４２は、上方から第２雌ねじ孔１３ｅに挿通され、先端にナット４ａを回動不能に固定される。このとき、ボルト４２は第２雌ねじ孔１３ｅに螺着された状態となっている。
【００３５】
受け金具１４は、外壁パネル１２を支持する躯体の一種である外壁下地材３の側面、ここではリップ溝形鋼のウェブ３ａに設置される。受け金具１４は、調整金具１３のボルト４２を載置する平面視矩形の底板１４１と、底板１４１の３つの縁端を上方に折曲して形成される折上げ片１４２と、外壁下地材３に固定支持される支持部１４３を有する。折上げ片１４２は、底板１４１の外壁パネル１２側の縁端及び外壁パネル１２の面内方向に直交する両端を上方に折曲している。支持部１４３は、ウェブ３ａに固定される固定支持部１４ａと、固定支持部１４ａの一端を直角に折曲げて形成され、底板１４１と固定支持部１４ａを繋ぐ腕部１４ｂと、から形成されており、固定支持部１４ａの略中央には、板厚方向へ貫通する第３貫通孔１４ｃが設けられている。また、受け金具１４は、底板１４１の上面１４１ａから折曲げ片１４２の上端１４２ａまでの第２距離Ｈ４を、第２間隔Ｈ３以下に形成される。
【００３６】
次に、以上説明した調整金具１３及び受け金具１４を使用して外壁パネル１２の設置高さを調整する外壁高さ調整構造１１について説明する。まず、予め固定部１３１とボルト４２をセットした調整金具１３を外壁パネル１２に固定する。具体的には連結部１３ｂの第２貫通孔１３ｄと当接板２ｃの第１挿入孔２ｅとを整合させ、図９に示すように低頭ボルト７で連通して低頭ナット７１で締付固定する。
【００３７】
続いて、図１０に示すように、受け金具１４の腕部１４ｂが、外壁パネル１２の面内方向へ延びるように配置し、固定支持部１４ａを外壁下地材３のウェブ３ａに当接して、第３貫通孔１４ｃ及び孔３ｂを連通する第２ボルト１５と第２ナット１６で締付固定する。なお、孔３ｂは、先述したように受け金具１４の設置高さ位置に形成されるので、図１１に示すように、例えば外壁下地材３の下部に斜材１２が設置される場合は、受け金具１４が斜材１２に干渉しない高さ位置に調整して形成される。そして、図９に示すように、外壁パネル２に設置された調整金具１３のボルト４２の先端を受け金具１４の底板１４１に載置し、第一実施形態と同様の手順で外壁パネル１２を外壁下地材３に固定する。このとき、受け金具１４の折上げ片１４２は、ボルト４２が外壁パネル１２の屋外側の面外方向へ大きく移動することを防止する。
【００３８】
外壁パネル１２を外壁下地材３に設置した後に外壁パネル１２の高さを調整したい場合や、メンテナンス時などに外壁パネル１２を取り外す場合は、外壁パネル１２間の縦目地１２１から外壁取付具９を操作して外壁パネル１２の外壁下地材３への固定を緩め、図１１に示すように、屋外側から外壁パネル１２を持ち上げて取り外すことができる。このとき、先述したように、底板１４１の上面１４１ａから折上げ片１４２の上端１４２ａまでの第２距離Ｈ４は、図９の第２間隔Ｈ３以下に形成されるので、外壁パネル１２の上部に他の外壁パネル１２Ａが設置されていても、外壁パネル１２を第２距離Ｈ４だけ上方に持ち上げれば他の外壁パネル１２Ａに干渉することなく取り外すことができる。
【００３９】
また、図９では、調整金具１３の保持部１３ａの下面と受け金具１４の底板１４１の下面とが略同一の高さ位置となるように設置されているが、調整金具１３の連結部１３ｂの上下方向の長さを調整し、保持部１３ａの下面が底板１４１の下面よりも下方に位置するようにしてもよい。調整金具１３をこのように形成することによって、外壁下地材３の下部の状況に関係なく外壁パネル１２を所望する高さに配置することができる。
【００４０】
また、本発明の実施の形態は上述の形態に限ることなく、本発明の思想の範囲を逸脱しない範囲で適宜変更することができることは云うまでもない。
【産業上の利用可能性】
【００４１】
この発明は、平板状に形成された外壁パネルの設置高さを調整する際に好適に使用することができる。
【符号の説明】
【００４２】
１、１１    外壁高さ調整構造
２、１２    外壁パネル
３          外壁下地材（躯体）
４、１３    調整金具
５、１４    受け金具
６          リップ溝形鋼（躯体）
６ａ        フランジ
６ｂ        リップ
Ｈ１        間隔（第１間隔）
Ｈ２        距離（第１距離）
Ｈ３        間隔（第２間隔）
Ｈ４        距離（第２距離）
Ｌ１        フランジ間の距離
Ｌ２        一方の側端の長さ
Ｌ３        リップ間の距離
【図１】
2019044539.tif 000003
【図２】
2019044539.tif 000004
【図３】
2019044539.tif 000005
【図４】
2019044539.tif 000006
【図５】
2019044539.tif 000007
【図６】
2019044539.tif 000008
【図７】
2019044539.tif 000009
【図８】
2019044539.tif 000010
【図９】
2019044539.tif 000011
【図１０】
2019044539.tif 000012
【図１１】
2019044539.tif 000013
【図１２】
2019044539.tif 000014
【図１３】
2019044539.tif 000015
【図１４】
2019044539.tif 000016